(57)【要約】【課題】端末装置周辺の雑音信号を検出する音響センサ等の専用手段を設けることなく、雑音信号に基づいて受信音声信号を適切に制御する。【解決手段】端末装置１００は、網接続部１０１と、音響信号処理部１０２と、呼び出し音発生器１０３と、スイッチ制御部１０４と、スイッチ１０５と、ダイナミックスピーカ１０６と、受話用レシーバ１１０と、送話用マイク１１１と、ＣＰＵ１１２と、ＲＯＭ１１３と、ＲＡＭ１１４とを備える。【選択図】図１
2006129301.tif 000002
【特許請求の範囲】
【請求項１】
呼び出し音信号を発生する呼び出し音発生手段と、
雑音信号が入力され、前記呼び出し音信号を出力する音響信号入出力手段と、
該音響信号入出力手段に入力される雑音信号を用いて受信音声信号を制御する音響信号処理手段と、
前記音響信号入出力手段の接続先を前記呼び出し音発生手段と前記音響信号処理手段との間で切り替える切り替え手段と、
前記呼び出し音信号発生中は前記音響信号入出力手段と前記呼び出し音発生手段とを接続し、音声通話中は前記音響信号入出力手段と前記音響信号処理手段とを接続するように前記切り替え手段を制御する切り替え制御手段と
を備えることを特徴とする端末装置。
【請求項２】
前記音響信号処理手段は、前記雑音信号の音量レベルと音声制御用雑音レベル閾値とを比較し、該比較結果と前記受信音声信号の音量レベル設定値とを用いて前記受信音声信号の音量レベルを制御することを特徴とする請求項１に記載の端末装置。
【請求項３】
前記音響信号入出力手段に入力される雑音信号を用いて前記呼び出し音信号を制御する呼び出し音制御手段を備え、
前記切り替え手段は、前記音響信号入出力手段の接続先を前記呼び出し音発生手段と前記呼び出し音制御手段との間で切り替え、
前記切り替え制御手段は、前記呼び出し音信号発生開始前に前記音響信号入出力手段と前記呼び出し音制御手段とを接続し、前記呼び出し音信号の発生を開始する際に、前記呼び出し音発生手段と前記音響信号入出力手段とを接続するように前記切り替え手段を制御することを特徴とする請求項１又は２に記載の端末装置。
【請求項４】
前記呼び出し音制御手段は、前記雑音信号の音量レベルと呼び出し音制御用雑音レベル閾値とを比較し、該比較結果と呼び出し音信号の音量レベル設定値とを用いて前記呼び出し音信号の音量レベルを制御することを特徴とする請求項３に記載の端末装置。
【請求項５】
前記音響信号入出力手段に入力される雑音信号を用いて送信音声信号から雑音信号を除去する雑音除去手段を備えることを特徴とする請求項１乃至４のいずれか１項に記載の端末装置。
【請求項６】
呼び出し音信号を発生する呼び出し音発生手段と、
送信音声信号が入力される送信信号入力手段と、
該送信信号入力手段に入力される雑音信号を用いて前記呼び出し音信号を制御する呼び出し音制御手段を備えることを特徴とする端末装置。
【請求項７】
前記呼び出し音制御手段は、前記雑音信号の音量レベルと呼び出し音制御用雑音レベル閾値とを比較し、該比較結果と呼び出し音信号の音量レベル設定値とを用いて前記呼び出し音信号の音量レベルを制御することを特徴とする請求項６に記載の端末装置。
【請求項８】
コンピュータを、
呼び出し音信号を発生する呼び出し音発生手段と、
雑音信号が入力され、前記呼び出し音信号を出力する音響信号入出力手段と、
該音響信号入出力手段に入力される雑音信号を用いて受信音声信号を制御する音響信号処理手段と、
前記音響信号入出力手段の接続先を前記呼び出し音発生手段と前記音響信号処理手段との間で切り替える切り替え手段と、
前記呼び出し音信号発生中は前記音響信号入出力手段と前記呼び出し音発生手段とを接続し、音声通話中は前記音響信号入出力手段と前記音響信号処理手段とを接続するように前記切り替え手段を制御する切り替え制御手段
として機能させるためのプログラム。
【請求項９】
コンピュータを、
呼び出し音信号を発生する呼び出し音発生手段と、
送信音声信号が入力される送信信号入力手段と、
該送信信号入力手段に入力される雑音信号を用いて前記呼び出し音信号を制御する呼び出し音制御手段
として機能させるためのプログラム。
【発明の詳細な説明】
【技術分野】
【０００１】
本発明は、音声通話に利用される端末装置及びその機能を実現するためのプログラムに関する。
【背景技術】
【０００２】
携帯電話のような端末装置を使用する環境は様々である。例えば、端末装置は、静かな室内で使用される場合もあれば、騒音の多い繁華街で使用される場合もある。一般的に、端末装置は、予め設定された一定音量で受話音声を出力する。そのため、静かな室内では問題なく聞こえる通話相手の音声が、騒音の多い繁華街では聞き取りづらくなる課題があった。
【０００３】
このような課題を解決するために、端末装置の周辺雑音を検出する音響センサを設け、音響センサが検出した周辺雑音により受話音声の音量を制御する技術が提案されている（例えば、特許文献１、特許文献２参照）。更に、専用の音響センサを設けずに、送話用マイクに入力される周辺雑音により受話音声の制御を行う技術も提案されている（例えば、特許文献３参照）。
【特許文献１】特開平１０−３０４０３０号公報
【特許文献２】特開２０００−６９１２７号公報
【特許文献３】特開平１１−３０８３２９号公報
【発明の開示】
【発明が解決しようとする課題】
【０００４】
しかしながら、音響センサを設ける端末装置は、周辺雑音を検出するための専用の音響センサを用意する必要があり、小型化、低コスト化が図れないという課題があった。又、送話用マイクを制御に用いる端末装置では、送話用マイクに周辺雑音だけでなく送話音声も入力されるため、送話音声が周辺雑音を用いた制御に影響を及ぼし、周辺雑音を考慮した適切な制御ができないという課題があった。
【０００５】
そこで、本発明は、端末装置周辺の雑音信号を検出する音響センサ等の専用手段を設けることなく、雑音信号に基づいて受信音声信号や呼び出し音信号を適切に制御することを目的とする。
【課題を解決するための手段】
【０００６】
本発明に係る端末装置は、呼び出し音信号を発生する呼び出し音発生手段と、  雑音信号が入力され、呼び出し音信号を出力する音響信号入出力手段と、音響信号入出力手段に入力される雑音信号を用いて受信音声信号を制御する音響信号処理手段と、音響信号入出力手段の接続先を呼び出し音発生手段と音響信号処理手段との間で切り替える切り替え手段と、呼び出し音信号発生中は音響信号入出力手段と呼び出し音発生手段とを接続し、音声通話中は音響信号入出力手段と音響信号処理手段とを接続するように切り替え手段を制御する切り替え制御手段とを備えることを特徴とする。
【０００７】
このような端末装置によれば、呼び出し音信号を出力すると共に雑音信号が入力される音響信号入出力手段を備えることにより、雑音信号を検出する音響センサ等の専用手段を設ける必要がない。しかも、音響信号入出力手段には、送信音声信号は入力されないため、雑音信号に基づいて受信音声信号を適切に制御することができる。更に、端末装置は、呼び出し音信号発生中は音響信号入出力手段と呼び出し音発生手段とを接続し、音声通話中は音響信号入出力手段と音響信号処理手段とを接続できる。そのため、端末装置は、音響信号入出力手段を用い、呼び出し音信号の出力と受信音声信号の制御の両方を適切に行うことができる。
【０００８】
更に、音響信号処理手段は、雑音信号の音量レベルと音声制御用雑音レベル閾値とを比較し、その比較結果と受信音声信号の音量レベル設定値とを用いて受信音声信号の音量レベルを制御することが好ましい。これによれば、端末装置は、雑音信号の音量レベルの状況に応じて、受信音声信号の音量レベルを適切なレベルに制御できる。
【０００９】
又、端末装置は、音響信号入出力手段に入力される雑音信号に基づいて呼び出し音信号を制御する呼び出し音制御手段を備えることが好ましい。この場合、切り替え手段は、音響信号入出力手段の接続先を呼び出し音発生手段と呼び出し音制御手段との間で切り替える。更に、切り替え制御手段は、呼び出し音信号発生開始前に音響信号入出力手段と呼び出し音制御手段とを接続し、呼び出し音信号の発生を開始する際に、呼び出し音発生手段と音響信号入出力手段とを接続するように切り替え手段を制御することが好ましい。
【００１０】
これによれば、端末装置は、雑音信号を検出する音響センサ等の専用手段を設けることなく、雑音信号に基づいて呼び出し音信号も適切に制御することができる。しかも、端末装置は、呼び出し音信号発生開始前に音響信号入出力手段と呼び出し音制御手段とを接続して、呼び出し音信号を制御しておき、呼び出し音信号の発生を開始する際に、呼び出し音発生手段と音響信号入出力手段とを接続して、呼び出し音信号を出力できる。そのため、端末装置は、音響信号入出力手段を用い、呼び出し音信号の制御と出力の両方を適切に行うことができる。
【００１１】
呼び出し音制御手段は、雑音信号の音量レベルと呼び出し音制御用雑音レベル閾値とを比較し、その比較結果と呼び出し音信号の音量レベル設定値とを用いて呼び出し音信号の音量レベルを制御することが好ましい。これによれば、端末装置は、雑音信号の音量レベルの状況に応じて、呼び出し音信号の音量レベルを適切なレベルに制御できる。
【００１２】
端末装置は、音響信号入出力手段に入力される雑音信号を用いて送信音声信号から雑音信号を除去する雑音除去手段を備えることが好ましい。音響信号入出力手段に入力される端末装置のユーザからの音声信号は、送話用マイクに比べて極めて少ない。そのため、端末装置は、音響信号入出力手段に入力される雑音信号を用いることにより、送信音声信号から雑音信号を精度良く除去できる。
【００１３】
又、他の端末装置は、呼び出し音信号を発生する呼び出し音発生手段と、送信音声信号が入力される送信信号入力手段と、送信信号入力手段に入力される雑音信号を用いて呼び出し音信号を制御する呼び出し音制御手段を備えることを特徴とする。待ち受け中である呼び出し音信号発生開始前は、音声通話は開始されていないため、送信信号入力手段には雑音信号のみが入力される。又、呼び出し音信号発生開始後、音声通話開始前は、送信信号入力手段には、端末装置において既知の呼び出し音信号と雑音信号が入力される。よって、端末装置は、雑音信号を検出する音響センサ等の専用手段を設けることなく、送信音声信号が入力されない状態の雑音信号に基づいて呼び出し音信号を適切に制御することができる。
【００１４】
この場合も、呼び出し音制御手段は、雑音信号の音量レベルと呼び出し音制御用雑音レベル閾値とを比較し、その比較結果と呼び出し音信号の音量レベル設定値とを用いて呼び出し音信号の音量レベルを制御することが好ましい。
【００１５】
本発明に係るプログラムは、コンピュータを、呼び出し音信号を発生する呼び出し音発生手段と、雑音信号が入力され、呼び出し音信号を出力する音響信号入出力手段と、音響信号入出力手段に入力される雑音信号を用いて受信音声信号を制御する音響信号処理手段と、音響信号入出力手段の接続先を呼び出し音発生手段と音響信号処理手段との間で切り替える切り替え手段と、呼び出し音信号発生中は音響信号入出力手段と呼び出し音発生手段とを接続し、音声通話中は音響信号入出力手段と音響信号処理手段とを接続するように切り替え手段を制御する切り替え制御手段として機能させるためのプログラムである。
【００１６】
他のプログラムは、コンピュータを、呼び出し音信号を発生する呼び出し音発生手段と、送信音声信号が入力される送信信号入力手段と、送信信号入力手段に入力される雑音信号を用いて呼び出し音信号を制御する呼び出し音制御手段として機能させるためのプログラムである。
【発明の効果】
【００１７】
以上説明したように、本発明によれば、端末装置周辺の雑音信号を検出する音響センサ等の専用手段を設けることなく、雑音信号に基づいて受信音声信号や呼び出し音信号を適切に制御することができる。
【発明を実施するための最良の形態】
【００１８】
〔第１の実施の形態〕
図１に端末装置１００のハードウェア構成を示す。図１に示すように、端末装置１００は、網接続部１０１と、音響信号処理部１０２と、呼び出し音発生器１０３と、スイッチ制御部１０４と、スイッチ１０５と、ダイナミックスピーカ１０６と、受話用レシーバ１１０と、送話用マイク１１１と、ＣＰＵ１１２と、ＲＯＭ１１３と、ＲＡＭ１１４とを備える。各構成はバス等で接続されている。
【００１９】
図２に端末装置１００の機能ブロック図を示す。図２に示すように、端末装置１００は、網接続手段１０１ａと、音響信号処理手段１０２ａと、呼び出し音発生手段１０３ａと、切り替え制御手段１０４ａと、切り替え手段１０５ａと、音響信号入出力手段１０６ａと、受信信号出力手段１１０ａと、送信信号入力手段１１１ａの機能を備える。
【００２０】
網接続部１０１は、音声通話網７００と接続し、通話相手の端末装置から端末装置１００への音声信号や、音声通話網７００から端末装置１００への制御音信号を、音声通話網７００から受信し、端末装置１００から相手端末装置への音声信号を、音声通話網７００に送信する網接続手段１０１ａとして機能する。
【００２１】
端末装置１００が受信した音声信号を「受信音声信号」、端末装置１００が受信した制御音信号を「受信制御音信号」、端末装置１００が送信する音声信号を「送信音声信号」という。制御音信号には、音声通話網７００から送信されるリングバックトーン、ビジートーン、ダイヤルトーン等がある。網接続部１０１は、受信した受信音声信号２や受信制御音信号を音響信号処理部１０２に入力し、送信する送信音声信号３を音響信号処理部１０２から取得する。音声通話網７００は、例えば、携帯電話網や固定電話網等である。
【００２２】
受話用レシーバ１１０は、受信音声信号や受信制御音信号を出力する受信信号出力手段１１０ａとして機能する。受話用レシーバ１１０は、音響信号処理部１０２から受信音声信号や受信制御音信号を取得し、出力する。
【００２３】
送話用マイク１１１は、送信音声信号３を入力される送信信号入力手段１１１ａとして機能する。送信音声信号３には、周辺の雑音信号が含まれる。即ち、送信音声信号３は、端末装置１００のユーザ（送話者）が発生する音声信号に、端末装置１００周辺の雑音信号が加わった信号となっている。送話用マイク１１１は、入力された送信音声信号３を音響信号処理部１０２に入力する。
【００２４】
呼び出し音発生器１０３は、呼び出し音信号４を発生する呼び出し音発生手段１０３ａとして機能する。呼び出し音発生器１０３は、発生させた呼び出し音信号４を、スイッチ１０５を介してダイナミックスピーカ１０６に入力する。尚、呼び出し音発生器１０３は、呼び出し音信号４をアナログ信号としてダイナミックスピーカ１０６に入力する。
【００２５】
ダイナミックスピーカ１０６は、端末装置１００周辺の雑音信号１が入力され、呼び出し音信号４を出力する音響信号入出力手段１０６ａとして機能する。雑音信号１は、端末装置１００のユーザ（送話者）が発生する音声信号以外の音響信号をいう。
【００２６】
ダイナミックスピーカ１０６は、音響信号を出力するだけでなく、音響信号の入力を受け、音響信号を取得できる。ダイナミックスピーカ１０６は、静磁界中に置かれた導体に音声電流を流し、得られた駆動力を利用して音響信号を出力する。ダイナミックスピーカ１０６は、その導体を振動させて電流を発生する現象を利用して音響信号の入力を受けることもできる。即ち、ダイナミックスピーカ１０６は、ダイナミックマイクと同じ構成も備えるため、音響信号の入力を受け、端末装置１００周辺の雑音信号を取得できる。
【００２７】
ダイナミックスピーカ１０６は、入力され、取得した雑音信号１を、スイッチ１０５を介して音響信号処理部１０２に入力する。ダイナミックスピーカ１０６は、呼び出し音信号４を、スイッチ１０５を介して呼び出し音発生器１０３から取得し、出力する。このように、ダイナミックスピーカ１０６は、呼び出し音信号を出力するサウンダとして機能する。
【００２８】
音響信号処理部１０２は、音響信号入出力手段１０６ａに入力される雑音信号１に基づいて受信音声信号２を制御する音響信号処理手段１０２ａとして機能する。音響信号処理部１０２は、受信音声信号２だけでなく、受信制御音信号や送信音声信号３も制御する。
【００２９】
音響信号処理部１０２は、受話音声処理部１１５と、音声復号化処理部１１６と、音声符号化処理部１１７と、アナログ／デジタル変換器（以下「Ａ／Ｄ」と表す）１０７，１０９と、デジタル／アナログ変換器（以下「Ｄ／Ａ」と表す）１０８とを備える。
【００３０】
Ａ／Ｄ１０７は、雑音信号１を、スイッチ１０５を介してダイナミックスピーカ１０６から取得する。Ａ／Ｄ１０７は、取得した雑音信号１をアナログ／デジタル変換し、受話音声処理部１１５に入力する。音声復号化処理部１１６は、網接続部１０１から取得した受信音声信号２や受信制御音信号を復号化し、受話音声処理部１１５に入力する。
【００３１】
受話音声処理部１１５は、Ａ／Ｄ１０７から取得した雑音信号１を用いて、音声復号化処理部１１６から取得した受信音声信号２や受信制御音信号を制御する。受話音声処理部１１５は、ダイナミックスピーカ１０６に入力された雑音信号１の特性により、受信音声信号や受信制御音信号の特性を制御する。具体的には、受話音声処理部１１５は、受信音声信号２や受信制御音信号の音量レベルや、周波数特性等を制御できる。
【００３２】
例えば、受話音声処理部１１５は、雑音信号１の音量レベルに応じて受信音声信号２の音量レベルを調整できる。受話音声処理部１１５は、雑音信号１の音量レベルに比例して受信音声信号２の音量レベルを高めることができる。
【００３３】
受話音声処理部１１５は、雑音信号１を用いて少なくとも音声通話中に、受信音声信号２を制御すればよい。受話音声処理部１１５は、受信音声信号２に加えて、リングバックトーンやビジートーン、ダイヤルトーン等の制御音信号の受信中に、これらの受信制御音信号を雑音信号１を用いて制御してもよい。
【００３４】
受話音声処理部１１５は、制御後の受信音声信号２や受信制御音信号をＤ／Ａ１０８に入力する。Ｄ／Ａ１０８は、受信音声信号２や受信制御音信号をデジタル／アナログ変換し、受話用レシーバ１１０に入力する。
【００３５】
Ａ／Ｄ１０９は、送話用マイク１１１から送信音声信号３を取得する。Ａ／Ｄ１０９は、取得した送信音声信号３をアナログ／デジタル変換し、音声符号化処理部１１７に入力する。音声符号化処理部１１７は、取得した送信音声信号３を符号化し、網接続部１０１に入力する。このようにして、音響信号処理部１０２は、受信音声信号２や受信制御音信号、送信音声信号３に対する信号処理を行う。
【００３６】
スイッチ１０５は、音響信号入出力手段１０６ａの接続先を呼び出し音発生手段１０３ａと音響信号処理手段１０２ａとの間で切り替える切り替え手段１０５ａとして機能する。スイッチ１０５は、ダイナミックスピーカ１０６の接続先を、呼び出し音発生器１０３と音響信号処理部１０２との間で切り替える。具体的には、スイッチ１０５は、ダイナミックスピーカ１０６から音響信号処理部１０２への雑音信号１の伝達経路と、呼び出し音発生器１０３からダイナミックスピーカ１０６への呼び出し音信号４の伝達経路とを切り替える。スイッチ１０５は、スイッチ制御部１０４の制御に従って切り替えを行う。
【００３７】
スイッチ制御部１０４は、呼び出し音信号発生中は音響信号入出力手段１０６ａと呼び出し音発生手段１０３ａとを接続し、音声通話中は音響信号入出力手段１０６ａと音響信号処理手段１０２ａとを接続するように切り替え手段１０５ａを制御する切り替え制御手段１０４ａとして機能する。スイッチ制御部１０４は、呼び出し音発生器１０３と音響信号処理部１０２の処理状況を検出し、検出した処理状況に基づいて、スイッチ１０５に切り替えを指示する制御信号を入力し、スイッチ１０５を制御する。
【００３８】
スイッチ制御部１０４は、少なくとも音声通話中に、ダイナミックスピーカ１０６と音響信号処理部１０２とを接続するようにスイッチ１０５を制御すればよい。例えば、スイッチ制御部１０４は、音響信号処理部１０２が音声通話処理を開始したことや、オフフックによる制御音信号の処理を開始したことを検出した際に、ダイナミックスピーカ１０６と音響信号処理部１０２とを接続するようにスイッチ１０５に指示することができる。即ち、スイッチ制御部１０４は、音声通話開始時やオフフック時に、ダイナミックスピーカ１０６と音響信号処理部１０２とを接続するようにスイッチ１０５を制御できる。
【００３９】
更に、スイッチ制御部１０４は、音声通話中に加え、制御音信号受信中も、ダイナミックスピーカ１０６と音響信号処理部１０２とを接続するようにスイッチ１０５を制御してもよい。即ち、スイッチ制御部１０４は、リングバックトーンやビジートーン、ダイヤルトーン等の制御音信号の受信を検出した際に、切り替えをスイッチ１０５に指示することができる。この場合、音響信号処理部１０２は、これらの受信制御音信号についても、雑音信号１を用いて受信音声信号と同様に制御することができる。
【００４０】
尚、スイッチ制御部１０４は、少なくとも呼び出し音信号発生中に、ダイナミックスピーカ１０６と呼び出し音発生器１０３とを接続するようにスイッチ１０５を制御すればよいが、音声通話中でも制御音信号の受信中でもなく、待ち受け中の場合には、ダイナミックスピーカ１０６と呼び出し音発生器１０３とを接続しておくことができる。例えば、スイッチ制御部１０４は、音響信号処理部１０２が音声通話を終了したことやオンフックによる制御音信号の処理を開始したことを検出した際に、ダイナミックスピーカ１０６と呼び出し音発生器１０３とを接続するようにスイッチ１０５に指示することができる。即ち、スイッチ制御部１０４は、音声通話終了時やオンフック時に、ダイナミックスピーカ１０６と呼び出し音発生器１０３とを接続するようにスイッチ１０５を制御できる。
【００４１】
ＣＰＵ１１２は、端末装置１００の制御を行う。ＲＯＭ１１３、ＲＡＭ１１４は、各種情報を記憶する記憶手段である。特に、ＲＯＭ１１３は、コンピュータを、網接続手段１０１ａと、音響信号処理手段１０２ａと、呼び出し音発生手段１０３ａと、切り替え制御手段１０４ａと、切り替え手段１０５ａと、音響信号入出力手段１０６ａと、受信信号出力手段１１０ａと、送信信号入力手段１１１ａとして機能させるためのプログラムを記憶する記憶媒体として機能する。
【００４２】
ＣＰＵ１１２は、例えば、ＲＯＭ１１３からプログラムを読み取り、実行することにより、網接続部１０１と、音響信号処理部１０２と、呼び出し音発生器１０３と、スイッチ制御部１０４と、スイッチ１０５と、ダイナミックスピーカ１０６と、受話用レシーバ１１０と、送話用マイク１１１を、網接続手段１０１ａと、音響信号処理手段１０２ａと、呼び出し音発生手段１０３ａと、切り替え制御手段１０４ａと、切り替え手段１０５ａと、音響信号入出力手段１０６ａと、受信信号出力手段１１０ａと、送信信号入力手段１１１ａとして機能させることができる。又、音響信号処理部１０２は、受信音声信号や受信制御音信号、送信音声信号に対する信号処理のアルゴリズムを実行して、上記したような信号処理を行うことができる。
【００４３】
次に、図３に端末装置１００の動作手順を示す。スイッチ制御部１０４は、音声通話開始やオフフックを検出すると、音響信号処理部１０２とダイナミックスピーカ１０６との接続を指示する制御信号をスイッチ１０５に入力する。これにより、スイッチ１０５は、音響信号処理部１０２とダイナミックスピーカ１０６とを接続する（Ｓ１０１）。
【００４４】
音響信号処理部１０２は、ダイナミックスピーカ１０６に入力される雑音信号を用いて受信音声信号を制御する（Ｓ１０２）。音響信号処理部１０２は、音声通話が終了したか否かを判断する（Ｓ１０３）。音響信号処理部１０２は、音声通話が終了しておらず、音声通話中であると判断した場合には、ステップ（Ｓ１０２）に戻り、雑音信号を用いた受信音声信号の制御を継続する。一方、音響信号処理部１０２は、音声通話が終了したと判断した場合には、雑音信号を用いた受信音声信号の制御を終了する（Ｓ１０４）。
【００４５】
スイッチ制御部１０４は、音響信号処理部１０２が音声通話処理を終了したことを検出すると、呼び出し音発生器１０３とダイナミックスピーカ１０６との接続を指示する制御信号をスイッチ１０５に入力する。これにより、スイッチ１０５が呼び出し音発生器１０３とダイナミックスピーカ１０６とを接続する（Ｓ１０５）。
【００４６】
このような端末装置１００によれば、呼び出し音信号を出力すると共に雑音信号が入力されるダイナミックスピーカ１０６を備えることにより、雑音信号を検出する音響センサ等の専用手段を設ける必要がない。しかも、ダイナミックスピーカ１０６には、送信音声信号は入力されないため、雑音信号に基づいて受信音声信号を適切に制御することができる。しかも、端末装置１００は、呼び出し音信号発生中はダイナミックスピーカ１０６と呼び出し音発生器１０３とを接続し、音声通話中はダイナミックスピーカ１０６と音響信号処理部１０２とを接続できる。そのため、端末装置１００は、ダイナミックスピーカ１０６を用い、呼び出し音信号の出力と受信音声信号の制御の両方を適切に行うことができる。
【００４７】
即ち、声通話中に、端末装置１００周辺の雑音信号を用いて受信音声信号や受信制御音信号の音量レベル等の特性を動的に制御する端末装置１００において、雑音信号が入力されるデバイスと呼び出し音信号を出力するデバイスとを共通化する。そのため、端末装置１００は、雑音信号が入力される専用デバイスを用意することなく、雑音信号検出の専用デバイスを用意した場合と同等以上の特性が得られるように受信音声信号の特性を制御できる。しかも、専用デバイスが不要であるため、端末装置１００は、小型化、低コスト化が図れる。よって、端末装置１００は、使用環境が様々に変化し、小型化が要求される携帯電話等として特に有効である。
【００４８】
〔第２の実施の形態〕
図４に端末装置２００のハードウェア構成のブロック図を示す。図４に示すように、端末装置２００は、網接続部１０１と、音響信号処理部２０２と、呼び出し音発生器１０３と、スイッチ制御部１０４と、スイッチ１０５と、ダイナミックスピーカ１０６と、受話用レシーバ１１０と、送話用マイク１１１と、ＣＰＵ１１２と、ＲＯＭ１１３と、ＲＡＭ１１４と、キー１１８と、ＥＥＰＲＯＭ１１９とを備える。
【００４９】
図５に端末装置２００の機能ブロック図を示す。図５に示すように、端末装置２００は、網接続手段１０１ａと、音響信号処理手段２０２ａと、呼び出し音発生手段１０３ａと、切り替え制御手段１０４ａと、切り替え手段１０５ａと、音響信号入出力手段１０６ａと、受信信号出力手段１１０ａと、送信信号入力手段１１１ａと、ユーザ入力手段１１８ａと、設定値記憶手段１１９ａの機能を備える。図４、図５において、図１、２に示した端末装置１００と実質的に同様の構成については同一の符号を付して説明を省略する。
【００５０】
ＥＥＰＲＯＭ１１９は、受信音声信号の音量レベル設定値（以下「音声音量レベル設定値」という）等、設定値を記憶する設定値記憶手段１１９ａとして機能する。ＥＥＰＲＯＭ１１９は、電気的に書き換えが可能なＲＯＭである。ＥＥＰＲＯＭ１１９は、紫外線の照射によって何度でも記憶内容を書き換えることができる。音声音量レベル設定値は、制御目標とする受信音声信号の音量レベルとして、予め設定された値である。音声音量レベル設定値は、端末装置２００のユーザが設定することができる。又、音声音量レベル設定値のデフォルト値を設定しておき、ＥＥＰＲＯＭ１１９に予め格納しておくこともできる。
【００５１】
キー１１８は、端末装置２００のユーザによる指示やデータ等が入力されるユーザ入力手段１１８ａとして機能する。ユーザは、希望する音量レベルをキー１１８から入力し、音声音量レベル設定値として設定することができる。キー１１８は、ユーザから入力された音声音量レベル設定値をＥＥＰＲＯＭ１１９に格納する。これにより、ＥＥＰＲＯＭ１１９は、ユーザにより設定された音声音量レベル設定値を記憶することができる。設定可能な音量レベル範囲は、音響信号処理部２０２や受話用レシーバ１１０の性能等によって決定できる。
【００５２】
音響信号処理部２０２は、音声音量レベル設定値を用いて受信音声信号２の音量レベルを制御する音響信号処理手段である２０２ａである。音響信号処理部２０２は、受話音声処理部２１５以外は図１と実質的に同様である。受話音声処理部２１５は、ＥＥＰＲＯＭ１１９から、音声音量レベル設定値を読み込み、制御を行う。
【００５３】
図６を用いて、受信音声信号２の音量レベル制御についてより詳細に説明する。音響信号処理部２０２の受話音声処理部２１５が、音声通話開始時やオフフック時に、ＥＥＰＲＯＭ１１９から音声音量レベル設定値を読み込む（Ｓ２０１）。音響信号処理部２０２は、音声通話開始により最初に出力する受信音声信号２の音量レベル、即ち、音量レベルの初期値が、読み込んだ音声音量レベル設定値となるように、受信音声信号２の音量レベルを制御する（Ｓ２０２）。これにより、受話用レシーバ１１０は、音声通話開始時に、音声音量レベル設定値に調整された受信音声信号を出力する。
【００５４】
その後、音響信号処理部２０２は、図３に示したステップ（Ｓ１０２）〜（Ｓ１０４）と同様の処理、ステップ（Ｓ２０３）〜（Ｓ２０５）を行う。これによれば、端末装置２００は、音声通話開始時に、ユーザ等により設定された音量レベルで受信音声信号を出力でき、ユーザが想定していない大音量や小音量で音声通話が開始されるといった不具合を防止できる。
【００５５】
又、音響信号処理部２０２は、雑音信号の音量レベルと音声制御用雑音レベル閾値とを比較し、その比較結果と音声音量レベル設定値とを用いて受信音声信号の音量レベルを制御することもできる。音声制御用雑音レベル閾値は、受信音声信号の音量レベルの制御において、制御方法を判断するために用いる閾値を設定したものである。
【００５６】
例えば、音響信号処理部２０２は、複数の音声制御用雑音レベル閾値を用い、受信音声信号の音量制御を行うことができる。具体的には、音響信号処理部２０２は、第１音声制御用雑音レベル閾値と、第２音声制御用雑音レベル閾値の２つの閾値を用いることができる。
【００５７】
例えば、第１音声制御用雑音レベル閾値は、受信音声信号の音量レベルを、音声音量レベル設定値よりも高める必要があるか否かを判断する閾値とし、第２音声制御用雑音レベル閾値は、音声音量レベル設定値よりも高める場合に、雑音信号を用いた制御を行うか否かを判断する閾値とすることができる。更に、音響信号処理部２０２は、音声音量レベル設定値に応じた受信音声信号の音量レベルの上限値を設定するために、音声音量レベル設定値に加算する加算レベルを用いることができる。加算レベルは、予め一定の値を設定しておくことができる。
【００５８】
図７を用いて、第１音声制御用雑音レベル閾値「Ｎ１」と、第２音声制御用雑音レベル閾値「Ｎ２」と、音声音量レベル設定値「Ｖｉ」と、加算レベル「Ｖｄ」とを用いて行う受信音声信号の音声レベルの制御について説明する。
【００５９】
音響信号処理部２０２の受話音声処理部２１５は、音声通話開始時やオフフック時に、ＥＥＰＲＯＭ１１９から音声音量レベル設定値Ｖｉを読み込む（Ｓ３０１）。音響信号処理部２０２は、受信音声信号２の音量レベルが、読み込んだ音声音量レベル設定値Ｖｉとなるように、受信音声信号２の音量レベルを制御する（Ｓ３０２）。
【００６０】
音響信号処理部２０２は、ダイナミックスピーカ１０６に入力された雑音信号１の音量レベルと第１音声制御用雑音レベル閾値Ｎ１とを比較する（Ｓ３０３）。音響信号処理部２０２は、雑音信号１の音量レベルが第１音声制御用雑音レベル閾値Ｎ１以上の場合には、音声音量レベル設定値よりも高める必要があると判断する。
【００６１】
この場合、音響信号処理部２０２は、ダイナミックスピーカ１０６に入力された雑音信号１の音量レベルと第２音声制御用雑音レベル閾値Ｎ２とを比較する（Ｓ３０４）。音響信号処理部２０２は、雑音信号１の音量レベルが第２音声制御用雑音レベル閾値Ｎ２以下の場合には、雑音信号１を用いた制御を行うと判断する。そして、音響信号処理部２０２は、雑音信号１の音量レベルに比例して受信音声信号の音量レベルを高める制御を行って、音声音量レベル設定値よりも受信音声信号の音量レベルを高める（Ｓ３０５）。
【００６２】
一方、ステップ（Ｓ３０４）において、音響信号処理部２０２は、雑音信号１の音量レベルが第２音声制御用雑音レベル閾値Ｎ２を越えるほどに高い場合には、雑音信号１を用いた制御を行わないと判断する。そして、音響信号処理部２０２は、音声音量レベル設定値Ｖｉに加算レベルＶｄを加算した音量レベルの上限値「Ｖｉ＋Ｖｄ」となるように、受信音声信号２の音量を制御する（Ｓ３０６）。
【００６３】
一方、ステップ（Ｓ３０３）において、音響信号処理部２０２は、雑音信号１の音量レベルが第１音声制御用雑音レベル閾値Ｎ１未満の場合には、受信音声信号２の音量レベルを音声音量レベル設定値から変更する必要はないと判断する。よって、受信音声信号２の音量レベルは、ステップ（Ｓ３０２）において制御された音声音量レベル設定値「Ｖｉ」となる。
【００６４】
そして、音響信号処理部２０２は、音声通話が終了したか否かを判断する（Ｓ３０７）。音響信号処理部２０２は、音声通話が終了しておらず、音声通話中であると判断した場合には、ステップ（Ｓ３０２）に戻り、受信音声信号２の制御を継続する。一方、音響信号処理部２０２は、音声通話が終了したと判断した場合には、受信音声信号２の制御を終了する（Ｓ３０８）。
【００６５】
これによれば、端末装置２００は、雑音信号の音量レベルが非常に小さい場合（第１音声制御用雑音レベル閾値未満の場合）には、雑音信号に応じた受信音声信号の音声レベル制御は行わずに、音声音量レベル設定値となるように受信音声信号を制御できる。よって、端末装置２００は、雑音信号を用いて受信音声信号を制御する場合であっても、音声音量レベル設定値を受信音声信号の音量レベルの下限値とでき、雑音信号が小さい場合にそれに応じて受信音声信号を制御することにより、必要以上に受信音声信号の音量レベルが低くなってしまうことを防止できる。
【００６６】
更に、端末装置２００は、雑音信号の音量レベルが非常に高い場合（第２音声制御用雑音レベル閾値を越える場合）には、雑音信号に応じた受信音声信号の音声レベル制御は行わずに、音声音量レベル設定値に加算レベルを加算した音量レベルの上限値「Ｖｉ＋Ｖｄ」となるように受信音声信号を制御できる。よって、端末装置２００は、雑音信号を用いて受信音声信号を制御する場合であっても、雑音信号が大きい場合にそれに応じて受信音声信号を制御することにより、必要以上に受信音声信号の音量レベルが高くなってしまうことを防止できる。
【００６７】
しかも、端末装置２００は、上限値を、下限値となる音声音量レベル設定値に一定の加算レベルを加算することで設定できるため、音声音量レベル設定値に関わらず、上限値と下限値との差を一定にできる。よって、各端末装置２００のユーザに適した音量レベルの制御ができる。例えば、端末装置２００は、下限値となる音声音量レベル設定値を小さく設定している端末装置２００のユーザに対しては、音声音量レベル設定値に一定の加算レベルを加算して得られる上限値も、それほど高くはならないように制御できる。
【００６８】
このように、端末装置２００によれば、雑音信号１の音量レベルの状況に応じて、受信音声信号２の音量レベルを適切なレベルに制御できる。尚、受信制御音信号についても、受信音声信号と同様にして音量レベルの制御を行うことができる。このような端末装置２００は、例えば、ＣＰＵ１１２が、図５に示す手段としてコンピュータを機能させるためのプログラムを実行することにより、実現できる。
【００６９】
〔第３の実施の形態〕
図８に端末装置３００のハードウェア構成のブロック図を示す。図８に示すように、端末装置３００は、網接続部１０１と、音響信号処理部３０２と、呼び出し音発生器１０３と、スイッチ制御部３０４と、スイッチ３０５と、ダイナミックスピーカ１０６と、受話用レシーバ１１０と、送話用マイク１１１と、ＣＰＵ１１２と、ＲＯＭ１１３と、ＲＡＭ１１４と、キー１１８と、ＥＥＰＲＯＭ１１９とを備える。
【００７０】
図９に端末装置３００の機能ブロック図を示す。図９に示すように、端末装置３００は、網接続手段１０１ａと、音響信号処理手段３０２ａと、呼び出し音発生手段１０３ａと、切り替え制御手段３０４ａと、切り替え手段３０５ａと、音響信号入出力手段１０６ａと、受信信号出力手段１１０ａと、送信信号入力手段１１１ａと、ユーザ入力手段１１８ａと、設定値記憶手段１１９ａの機能を備える。図８、図９において、図４、５に示した端末装置２００と同様の構成については同様の符号を付して説明を省略する。
【００７１】
音響信号処理部３０２は、受話音声処理部１１５に代えて、受話音声・呼び出し音処理部３１５を備える。音響信号処理部３０２は、受話音声・呼び出し音処理部３１５以外は図４と実質的に同様である。
【００７２】
受話音声・呼び出し音処理部３１５は、音響信号入出力手段１０６ａに入力される雑音信号１を用いて呼び出し音信号４を制御する呼び出し音制御手段３１５ａとしても機能する。受話音声・呼び出し音処理部３１５は、呼び出し音制御手段３１５ａとしても機能する以外は、図４に示した受話音声処理部２１５と実質的に同様である。このように、音響信号処理部３０２は、音響信号入出力手段１０６ａに入力される雑音信号１を用いて呼び出し音信号４を制御可能な音響信号処理手段３０２ａとなっている。
【００７３】
受話音声・呼び出し音処理部３１５は、スイッチ３０５、Ａ／Ｄ１０７を介してダイナミックスピーカ１０６に入力された雑音信号１を取得する。受話音声・呼び出し音処理部３１５は、取得した雑音信号１の特性により、呼び出し音信号の特性を制御する。具体的には、受話音声・呼び出し音処理部３１５は、呼び出し音信号４の音量レベルや、周波数特性等等を制御できる。
【００７４】
例えば、受話音声・呼び出し音処理部３１５は、雑音信号１の音量レベルに応じて呼び出し音信号４の音量レベルを調整する。受話音声・呼び出し音処理部３１５は、雑音信号１の音量レベルに比例して、呼び出し音信号４の音量レベルを高めることができる。受話音声・呼び出し音処理部３１５は、呼び出し音信号を制御するための制御信号を生成し、呼び出し音発生器１０３に入力する。
【００７５】
更に、受話音声・呼び出し音処理部３１５は、呼び出し音信号の音量レベル設定値（以下「呼び出し音量レベル設定値」という）を用いて、呼び出し音信号４の音量レベルを制御してもよい。この場合、ＥＥＰＲＯＭ１１９は、呼び出し音量レベル設定値を記憶する。
【００７６】
呼び出し音量レベル設定値は、制御目標とする呼び出し音信号の音量レベルとして、予め設定された値である。呼び出し音量レベル設定値は、端末装置３００のユーザが設定することができる。又、呼び出し音量レベル設定値のデフォルト値を設定しておき、ＥＥＰＲＯＭ１１９に予め格納しておくこともできる。例えば、呼び出し音レベル設定値は、雑音信号１の音量レベルが高い場合に適用する第１呼び出し音設定値と、雑音信号１の音量レベルが低い場合に適用する第２呼び出し音設定値を設定することができる。
【００７７】
ユーザは、希望する呼び出し音信号の音量レベルをキー１１８から入力し、呼び出し音量レベル設定値として設定することができる。キー１１８は、ユーザから入力された呼び出し音量レベル設定値をＥＥＰＲＯＭ１１９に格納する。これにより、ＥＥＰＲＯＭ１１９は、ユーザにより設定された呼び出し音量レベル設定値を記憶することができる。設定可能な音量レベル範囲は、音響信号処理部３０２や受話用レシーバ１１０の性能などによって決定される。
【００７８】
受話音声・呼び出し音処理部３１５は、ＥＥＰＲＯＭ１１９から、呼び出し音量レベル設定値を読み込んで制御に用いる。例えば、受話音声・呼び出し音処理部３１５は、呼び出し音信号４の音量レベルが読み込んだ呼び出し音量レベル設定値となるように、呼び出し音信号の音量レベルを制御できる。これにより、ダイナミックスピーカ１０６は、呼び出し音量レベル設定値に調整された呼び出し音信号を出力する。
【００７９】
又、受話音声・呼び出し音処理部３１５は、雑音信号の音量レベルと呼び出し音制御用雑音レベル閾値とを比較し、その比較結果と呼び出し音量レベル設定値とを用いて呼び出し音信号の音量レベルを制御することもできる。呼び出し音制御用雑音レベル閾値は、呼び出し音信号の音量レベルの制御において、制御方法を判断するために用いる閾値を設定したものである。このように、端末装置３００によれば、雑音信号１の音量レベルの状況に応じて、呼び出し音信号４の音量レベルを適切なレベルに制御できる。
【００８０】
例えば、受話音声・呼び出し音処理部３１５は、複数の呼び出し音制御用雑音レベル閾値を用い、呼び出し音信号の音量制御を行うことができる。具体的には、受話音声・呼び出し音処理部３１５は、第１呼び出し音制御用雑音レベル閾値と、第２呼び出し音制御用雑音レベル閾値の２つの閾値を用いることができる。
【００８１】
例えば、第１呼び出し音制御用雑音レベル閾値は、呼び出し音信号４の音量レベルを第１呼び出し音設定値とするか否かを判断する閾値とし、第２呼び出し音制御用雑音レベル閾値は、呼び出し音信号４の音量レベルを第２呼び出し音設定値とするか否かを判断する閾値とすることができる。
【００８２】
この場合、受話音声・呼び出し音処理部３１５は、ダイナミックスピーカ１０６に入力された雑音信号１の音量レベルと、第１呼び出し音制御用雑音レベル閾値及び第２呼び出し音制御用雑音レベル閾値とを比較する。受話音声・呼び出し音処理部３１５は、雑音信号１の音量レベルが第１呼び出し音制御用雑音レベル閾値以上の場合には、第１呼び出し音設定値となるように呼び出し音信号４の音量レベルを制御する。これによれば、端末装置３００は、雑音信号を用いて呼び出し音信号を制御する場合に、雑音信号の音量レベルが非常に高く、それに応じて呼び出し音信号を制御することにより、必要以上に呼び出し音信号の音量レベルが高くなってしまうことを防止できる。
【００８３】
受話音声・呼び出し音処理部３１５は、雑音信号１の音量レベルが第２呼び出し音制御用雑音レベル閾値以下の場合には、第２呼び出し音設定値となるように呼び出し音信号４の音量レベルを制御する。これによれば、端末装置３００は、雑音信号を用いて呼び出し音信号を制御する場合に、雑音信号の音量レベルが非常に小さくそれに応じて呼び出し音信号を制御することにより、必要以上に呼び出し音信号の音量レベルが低くなってしまうことを防止できる。
【００８４】
受話音声・呼び出し音処理部３１５は、雑音信号１の音量レベルが第２呼び出し音制御用レベル閾値を越え、第１呼び出し音制御用レベル閾値未満の場合には、雑音信号１の音量レベルに比例した音量レベルの呼び出し音信号４となるように呼び出し音信号４の音量レベルを制御する。
【００８５】
スイッチ３０５は、音響信号入出力手段１０６ａの接続先を呼び出し音発生手段１０３ａと呼び出し音制御手段３１５ａとの間で切り替える切り替え手段３０５ａとして機能する。スイッチ３０５は、スイッチ制御部３０４の制御に従って切り替えを行う。
【００８６】
スイッチ制御部３０４は、呼び出し音信号発生開始前に音響信号入出力手段１０６ａと呼び出し音制御手段３１５ａとを接続し、呼び出し音信号の発生を開始する際に、呼び出し音発生手段１０３ａと音響信号入出力手段１０６ａとを接続するように切り替え手段３０５ａを制御する切り替え制御手段３０４ａとして機能する。
【００８７】
ダイナミックスピーカ１０６は、呼び出し音信号４を出力する間、雑音信号１の入力に使用することができない。そのため、スイッチ制御部３０４は、呼び出し音信号４を発生し、呼び出し音信号４の出力を開始する前に、ダイナミックスピーカ１０６と受話音声・呼び出し音処理部３１５とを接続するようにスイッチ３０５を制御する。
【００８８】
例えば、呼び出し音信号発生開始前、待ち受け中に定期的に、音声通話中に次の呼び出し音信号発生のために、一定時間（例えば、数秒間）、ダイナミックスピーカ１０６と受話音声・呼び出し音処理部３１５とを接続するようにスイッチ３０５を制御する。
【００８９】
受話音声・呼び出し音処理部３１５は、ダイナミックスピーカ１０６と接続している間に、雑音信号１を用いて呼び出し音信号４の制御内容を決定する。具体的には、呼び出し音信号４の特性を制御するパラメータを決定する。受話音声・呼び出し音処理部３１５は、決定したパラメータを含む制御信号を呼び出し音発生器１０３に入力する。
【００９０】
その後、スイッチ制御部３０４は、呼び出し音信号の発生を開始する際に、呼び出し音発生器１０３とダイナミックスピーカ１０６とを接続するようにスイッチ３０５を制御する。これにより、呼び出し音発生器１０３は、受話音声・呼び出し音処理部３１５が雑音信号１を用いて決定した制御内容に従って、呼び出し音信号４を発生できる。このような端末装置３００は、例えば、ＣＰＵ１１２が、図９に示す手段としてコンピュータを機能させるためのプログラムを実行することにより、実現できる。
【００９１】
次に、図１０に端末装置の動作手順を示す。スイッチ制御部３０４は、呼び出し音信号発生開始前に、受話音声・呼び出し音処理部３１５とダイナミックスピーカ１０６との接続を指示する制御信号をスイッチ３０５に入力し、スイッチ３０５が受話音声・呼び出し音処理部３１５とダイナミックスピーカ１０６とを接続する（Ｓ４０１）。
【００９２】
受話音声・呼び出し音処理部３１５は、ダイナミックスピーカ１０６に入力される雑音信号１を用いて呼び出し音信号４の制御内容を決定し、制御信号を呼び出し音発生器１０３に入力する（Ｓ４０２）。スイッチ制御部３０４は、呼び出し音信号の発生を開始する際に、呼び出し音発生器１０３とダイナミックスピーカ１０６とを接続するようにスイッチ３０５を制御する（Ｓ４０３）。呼び出し音発生器１０３は、受話音声・呼び出し音処理部３１５からの制御信号に従って呼び出し音信号４を発生させる。
【００９３】
そして、音声通話が開始されると、スイッチ制御部３０４は、音響信号処理部３０２とダイナミックスピーカ１０６とを接続するようにスイッチ３０５を制御する。そして。音響信号処理部３０２は、雑音信号１を用いた受信音声信号２の制御を行う（Ｓ４０４）。
【００９４】
このような端末装置３００によれば、雑音信号を検出する音響センサ等の専用手段を設けることなく、ダイナミックスピーカ１０６に入力される雑音信号１に基づいて呼び出し音信号４も適切に制御することができる。しかも、端末装置３００は、呼び出し音信号発生開始前に、ダイナミックスピーカ１０６と受話音声・呼び出し音処理部３１５とを接続して、呼び出し音信号を制御しておき、呼び出し音信号の発生を開始する際に、呼び出し音発生器１０３とダイナミックスピーカ１０６とを接続して、呼び出し音信号を出力できる。そのため、端末装置３００は、ダイナミックスピーカ１０６を用い、呼び出し音信号の制御と出力の両方を適切に行うことができる。尚、呼び出し音量レベル設定値を用いない場合には、端末装置３００は、ＥＥＰＲＯＭ１１９は省略可能である。
【００９５】
〔第４の実施形態〕
図１１に端末装置４００のハードウェア構成のブロック図を示す。図１１に示すように、端末装置４００は、網接続部１０１と、音響信号処理部４０２と、呼び出し音発生器１０３と、スイッチ制御部３０４と、スイッチ３０５と、ダイナミックスピーカ１０６と、受話用レシーバ１１０と、送話用マイク１１１と、ＣＰＵ１１２と、ＲＯＭ１１３と、ＲＡＭ１１４と、キー１１８と、ＥＥＰＲＯＭ１１９とを備える。
【００９６】
図１２に端末装置４００の機能ブロック図を示す。図１２に示すように、端末装置４００は、網接続手段１０１ａと、音響信号処理手段４０２ａと、呼び出し音発生手段１０３ａと、切り替え制御手段３０４ａと、切り替え手段３０５ａと、音響信号入出力手段１０６ａと、受信信号出力手段１１０ａと、送信信号入力手段１１１ａと、ユーザ入力手段１１８ａと、設定値記憶手段１１９ａの機能を備える。図１１、図１２において、図８、９に示した端末装置４００と実質的に同様の構成については同様の符号を付して説明を省略する。
【００９７】
音響信号処理部４０２は、受話音声・呼び出し音処理部３１５に代えて、受話音声・呼び出し音処理部４１５を備える。音響信号処理部４０２は、受話音声・呼び出し音処理部４１５以外は図８と実質的に同様である。
【００９８】
受話音声・呼び出し音処理部４１５は、送信信号入力手段１１１ａに入力される雑音信号を用いて呼び出し音信号４を制御する呼び出し音制御手段４１５ａとして機能する。例えば、受話音声・呼び出し音処理部４１５は、呼び出し音信号４の制御に、送話用マイク１１１に入力される雑音信号を常に用いてもよく、スイッチ３０５がダイナミックスピーカ１０６と受話音声・呼び出し音処理部４１５とを接続している間は、ダイナミックスピーカ１０６に入力される雑音信号１を用い、スイッチ３０５が呼び出し音発生器１０３とダイナミックスピーカ１０６とを接続している間は、送話用マイク１１１に入力される雑音信号を用いて呼び出し音信号４を制御するようにしてもよい。
【００９９】
この点以外は、受話音声・呼び出し音処理部４１５は、受話音声・呼び出し音処理部３１５と実質的に同様である。このように、音響信号処理部４０２は、送話用マイク１１１に入力される雑音信号も用いて呼び出し音信号４を制御可能な音響信号処理手段４０２ａとなっている。
【０１００】
受話音声・呼び出し音処理部４１５は、Ａ／Ｄ１０９を介して、送話用マイク１１１に入力される雑音信号を取得する。受話音声・呼び出し音処理部４１５は、送話用マイク１１１に入力される雑音信号を用いて、ダイナミックスピーカ１０６に入力される雑音信号を用いる場合と同様にして、呼び出し音信号を制御できる。具体的には、受話音声・呼び出し音処理部４１５は、呼び出し音信号４の特性を制御するパラメータを、送話用マイク１１１に入力された雑音信号を用いて決定し、そのパラメータを含む制御信号を呼び出し音発生器１０３に入力する。
【０１０１】
待ち受け中である呼び出し音信号発生開始前は、音声通話は開始されていないため、送話用マイク１１１には雑音信号のみが入力される。よって、受話音声・呼び出し音処理部４１５は、呼び出し音信号発生開始前の一定時間、送話用マイク１１１から入力された信号を雑音信号として検出し、呼び出し音信号４の特性を制御するパラメータを決定できる。
【０１０２】
又、呼び出し音信号発生開始後、音声通話開始前は、送話用マイク１１１には、呼び出し音信号４と雑音信号が入力される。ここで、呼び出し音信号４は、呼び出し音発生器１０３において発生されるため、端末装置４００において既知である。よって、受話音声・呼び出し音処理部４１５は、呼び出し音発生器１０３から呼び出し音信号４を取得する。そして、受話音声・呼び出し音処理部４１５は、送話用マイク１１１に入力される信号から取得した呼び出し音信号４を差し引いて、雑音信号を抽出する。そして、受話音声・呼び出し音処理部４１５は、抽出した雑音信号を用いて、呼び出し音信号４の特性を制御するパラメータを決定できる。尚、呼び出し音発生器１０３は、呼び出し音信号をデジタル信号として、受話音声・呼び出し音処理部に入力する。
【０１０３】
これによれば、端末装置４００は、雑音信号を検出する音響センサ等の専用手段を設けることなく、送信音声信号３が入力されない状態の雑音信号に基づいて呼び出し音信号４を適切に制御することができる。
【０１０４】
更に、端末装置４００は、呼び出し音発生器１０３とダイナミックスピーカ１０６とが接続している間も、雑音信号に基づく呼び出し音信号の制御を行うことができ、呼び出し音信号をより適切に制御できる。即ち、端末装置４００は、常時、雑音信号を取得し、呼び出し音信号４の特性を細やかに制御できる。このような端末装置４００は、例えば、ＣＰＵ１１２が、図１２に示す手段としてコンピュータを機能させるためのプログラムを実行することにより、実現できる。
【０１０５】
〔第５の実施形態〕
図１３に端末装置５００のハードウェア構成のブロック図を示す。図１３に示すように、端末装置５００は、網接続部１０１と、音響信号処理部１０２と、呼び出し音発生器１０３と、スイッチ制御部１０４と、スイッチ１０５と、ダイナミックスピーカ１０６と、受話用レシーバ１１０と、送話用マイク１１１と、ＣＰＵ１１２と、ＲＯＭ１１３と、ＲＡＭ１１４と、雑音除去部１２０とを備える。
【０１０６】
図１４に端末装置５００の機能ブロック図を示す。図１４に示すように、端末装置５００は、網接続手段１０１ａと、音響信号処理手段１０２ａと、呼び出し音発生手段１０３ａと、切り替え制御手段１０４ａと、切り替え手段１０５ａと、音響信号入出力手段１０６ａと、受信信号出力手段１１０ａと、送信信号入力手段１１１ａと、雑音除去手段１２０ａの機能を備える。図１３、図１４において図１、図２に示した端末装置１００と実質的に同様の構成については同様の符号を付して説明を省略する。
【０１０７】
雑音除去部１２０は、音響信号入出力手段１０６ａに入力される雑音信号１を用いて送信音声信号３から雑音信号を除去する雑音除去手段１２０ａとして機能する。雑音除去部１２０は、送話用マイク１１１から、送話用マイク１１１に入力された雑音信号を含んだ送信音声信号３を取得する。
【０１０８】
雑音除去部１２０は、スイッチ１０５を介してダイナミックスピーカ１０６から、ダイナミックスピーカ１０６に入力された雑音信号１を取得する。雑音除去部１２０は、ダイナミックスピーカ１０６に入力された雑音信号１が、送話用マイク１１１から取得した送信音声信号３にも含まれていると推定する。そして、雑音除去部１２０は、ダイナミックスピーカ１０６に入力された雑音信号１を、送信音声信号３から除去する。雑音除去部１２０は、雑音信号が除去された送信音声信号を、音響信号処理部１０２のＡ／Ｄ１０９に入力する。
【０１０９】
このような端末装置５００によれば、ダイナミックスピーカ１０６に入力される雑音信号１を用いることにより、送信音声信号３から雑音信号を精度良く除去できる。即ち、端末装置５００は、ダイナミックスピーカ１０６から入力される雑音信号１を、送信音声信号３からの雑音信号の除去に利用する。
【０１１０】
送話用マイク１１１に入力される送信音声信号３は、端末装置１００のユーザ（送話者）が発生する音声信号に周辺の雑音信号が加わった信号である。一方、  ダイナミックスピーカ１０６に入力されるユーザからの音声信号は、送話用マイク１１１に比べて極めて少ない。特に、ダイナミックスピーカ１０６は、一般的には、送話用マイク１１１と離れた位置に設けられている。例えば、端末装置５００が折りたたみ型の携帯電話の場合、ダイナミックスピーカ１０６は送話用マイク１１１の設置側の反対側に設けられることが多い。
【０１１１】
そのため、ダイナミックスピーカ１０６に入力される雑音信号１は送話用マイク１１１に入力される送信音声信号３に比べ、ユーザの音声信号ではない雑音信号の割合が非常に高い。よって、送信音声信号３から除去する雑音信号としてダイナミックスピーカ１０６から入力された雑音信号１を利用することが有効となる。即ち、ダイナミックスピーカ１０６によれば、雑音信号を検出する音響センサ等の専用手段を設けることなく、音響センサ等と同等の精度で雑音信号１を検出できる。よって、端末装置５００は、検出された雑音信号１を用いて送信音声信号３から雑音信号を高精度に除去できる。このような端末装置５００は、例えば、ＣＰＵ１１２が、図１４に示す手段としてコンピュータを機能させるためのプログラムを実行することにより、実現できる。
【０１１２】
〔変更例〕
尚、本発明は、上記実施形態に限定されるものではなく、種々の変更が可能である。例えば、図１３、図１４において、雑音除去手段１２０ａとして雑音除去部１２０が設けられていたが、図１５に示すように、送信音声信号３から雑音信号を除去する雑音除去手段１２０ａとして機能する送話音声処理部６２０を音響信号処理部６０２が備える端末装置６００としてもよい。
【０１１３】
送話音声処理部６２０は、スイッチ１０５、Ａ／Ｄ１０７を介してダイナミックスピーカ１０６からアナログ／デジタル変換後の雑音信号１を取得する。又、送話音声処理部６２０は、Ａ／Ｄ１０９を介して送話用マイク１１１からアナログ／デジタル変換後の送信音声信号３を取得する。送話音声処理部６２０は、取得した送信音声信号３からダイナミックスピーカ１０６に入力された雑音信号１を除去する。送話音声処理部６２０は、雑音信号除去後の送信音声信号を音声符号化処理部１１７に入力する。
【０１１４】
このような端末装６００によっても、ダイナミックスピーカ１０６に入力される雑音信号１を用いることにより、送信音声信号３から雑音信号を精度良く除去できる。
【０１１５】
又、図８、図１１に示した端末装置３００，４００では、呼び出し音制御手段３１５ａ，４１５ａを、音響信号処理手段３０２ａ，４０２ａが備えているが、呼び出し音制御手段３１５ａ，４１５ａはどこに設けられてもよく、音響信号処理手段３０２ａ，４０２ａとは別で設けられてもよい。更に、受信音声信号の音量レベルを、呼び出し音信号の音量レベルを制御する方法と同様にして制御してもよく、呼び出し音信号の音量レベルを、受信音声信号の音量レベルを制御する方法と同様にして制御してもよい。
【０１１６】
又、音響信号入出力手段は、雑音信号が入力され、呼び出し音信号を出力することが可能であれば、例えば、圧電マイクとしても機能可能な圧電スピーカ等、ダイナミックスピーカ１０６以外のものを用いてもよい。圧電スピーカは、小型化に有効である。
【図面の簡単な説明】
【０１１７】
【図１】本発明の第１の実施の形態に係る端末装置のハードウェア構成を示すブロック図である。
【図２】本発明の第１の実施の形態に係る端末装置の機能ブロック図である。
【図３】本発明の第１の実施の形態に係る端末装置の動作手順を示すフロー図である。
【図４】本発明の第２の実施の形態に係る端末装置のハードウェア構成を示すブロック図である。
【図５】本発明の第２の実施の形態に係る端末装置の機能ブロック図である。
【図６】本発明の第２の実施の形態に係る受信音声信号の音量レベル制御手順を示すフロー図である。
【図７】本発明の第２の実施の形態に係る受信音声信号の音量レベルの他の制御手順を示すフロー図である。
【図８】本発明の第３の実施の形態に係るハードウェア構成を示すブロック図である。
【図９】本発明の第３の実施の形態に係る端末装置の機能ブロック図である。
【図１０】本発明の第３の実施の形態に係る端末装置の動作手順を示すフロー図である。
【図１１】本発明の第４の実施の形態に係るハードウェア構成を示すブロック図である。
【図１２】本発明の第４の実施の形態に係る端末装置の機能ブロック図である。
【図１３】本発明の第５の実施の形態に係るハードウェア構成を示すブロック図である。
【図１４】本発明の第５の実施の形態に係る端末装置の機能ブロック図である。
【図１５】本発明の変更例に係るハードウェア構成を示すブロック図である。
【符号の説明】
【０１１８】
１０８…Ｄ／Ａ
１０７，１０９…Ａ／Ｄ
１００，２００，３００，４００，５００，６００…端末装置
１０１…網接続部
１０１ａ…網接続手段
１０２，２０２，３０２，４０２，６０２…音響信号処理部
１０２ａ，２０２ａ，３０２ａ，４０２ａ…音響信号処理手段
１０３…呼び出し音発生器
１０３ａ…呼び出し音発生手段
１０４，３０４…スイッチ制御部
１０４ａ，３０４ａ…切り替え制御手段
１０５，３０５…スイッチ
１０５ａ，３０５ａ…切り替え手段
１０６…ダイナミックスピーカ
１０６ａ…音響信号入出力手段
１１０…受話用レシーバ
１１０ａ…受信信号出力手段
１１１…送話用マイク
１１１ａ…送信信号入力手段
１１２…ＣＰＵ
１１３…ＲＯＭ
１１４…ＲＡＭ
１１５，２１５…受話音声処理部
１１６…音声復号化処理部
１１７…音声符号化処理部
１１８…キー
１１８ａ…ユーザ入力手段
１１９…ＥＥＰＲＯＭ
１１９ａ…設定値記憶手段
１２０…雑音除去部
１２０ａ…雑音除去手段
３１５，４１５…受話音声・呼び出し音処理部３１５
３１５ａ，４１５ａ…呼び出し音制御手段
６２０…送話音声処理部
７００…音声通話網
【図１】
2006129301.tif 000003
【図２】
2006129301.tif 000004
【図３】
2006129301.tif 000005
【図４】
2006129301.tif 000006
【図５】
2006129301.tif 000007
【図６】
2006129301.tif 000008
【図７】
2006129301.tif 000009
【図８】
2006129301.tif 000010
【図９】
2006129301.tif 000011
【図１０】
2006129301.tif 000012
【図１１】
2006129301.tif 000013
【図１２】
2006129301.tif 000014
【図１３】
2006129301.tif 000015
【図１４】
2006129301.tif 000016
【図１５】
2006129301.tif 000017